(57)【要約】 【課題】生産性及び現場使用の利便性が高く、経済的にも有利であり、防護の信頼性、安全性を向上させる防護シートを提供する。【解決手段】本発明の防護シート１は、主防護シート１１と、主防護シート１１に、適宜の間隔毎に並べて複数層の構造となるように装着した複数の副シート２１とを備える。前記複数の副シート２１は、各々一部としての上部側ａが主防護シートに装着されている。各副シート２１は、主防護シート１１に平行に沿って並べて吊設された状態を維持する。【選択図】       図２
2008175028.tif 000002
【特許請求の範囲】
【請求項１】
飛来物の危険を防護する防護シートであって、
主防護シートと、
前記主防護シートに、適宜の間隔毎に並べて複数層の構造となるように装着した複数の副シートと、
を備え、
前記複数の副シートは、各々一部が前記主防護シートに装着されていることを特徴とする防護シート。
【請求項２】
前記各副シートの各装着用の前記一部とは、各々各副シートの上部側であり、
前記各副シートは、前記主防護シートに平行に沿って並べて吊設された状態を維持することを特徴とする請求項１に記載の防護シート。
【請求項３】
前記複数の副シートは、前記主防護シートに平行に沿って並べて複数ずつ重ねて吊設された状態を維持することを特徴とする請求項１又は２に記載の防護シート。
【請求項４】
前記主防護シートに吊設された前記複数の副シートは、各々相対的に上位側の副シートの下部側が、その下位側の副シートの上部側の外側に重なることを特徴とする請求項１から３のいずれかに記載の防護シート。
【請求項５】
飛来物の危険を防護する防護シートであって、
適宜の間隔毎に並べて複数層の構造となるように装着される複数のシートから成ることを特徴とする防護シート。
【発明の詳細な説明】
【技術分野】
【０００１】
本発明は、工事現場等から飛来する飛来物の危険を防護する防護シートに関する。
【背景技術】
【０００２】
従来、ビル、マンションの建設、土木、道路工事などでは、工事用の機械類などの駆動とともに、現場材の破砕塊などの危険物（飛来物）が飛び出す危険がある。
工事現場などから破砕塊などが飛散し、瞬時に周囲に飛び出して、周囲の一般の通行人などに飛び当たると、非常に大きな怪我を負わせる危険が十分に予想される。
このため、工事現場などの周りには、周囲の柱などを利用して飛来物の危険を防護する防護シートを張り巡らすことが一般に多く実施されている。
工事現場などに使用する防護シートは、利便性や経済性の観点から、多くはビニール製や生地製のものが用いられている。
しかし、防護シートは、上辺及び下辺を含めて完全な固定的に使用した場合、衝撃の吸収作用が低いため、飛来物の高速性や重量の関係によっては破れる可能性があり、完全防護の目的を果たせなくなる虞がある。
【０００３】
ビニール製や生地製の防護シートは、所謂吊設するようにして下辺を自由にした方が、飛来物の衝突時には防護シート自体が変形し易いため、その衝撃を吸収して破れる虞を低減することが可能である。
しかし、防護シートは、所謂、吊設するようにして下辺を自由にした場合、風でめくれてしまうという欠点があるため、十分な注意を要する。
ただし、防護シートが大型になると、その分、自重も大きくなるため、防護シート自体の変形性の自由度が低下し、飛来物の衝撃を吸収する作用が殆ど期待できなくなり、飛来物の衝撃で破れる可能性が高くなる。
一方、危険性を低減する従来例には、例えば、特開平１１−１１８３９５号公報（特許文献１）により、防弾、防刃素材を有するエプロンが提案されている。
【特許文献１】特開平１１−１１８３９５号公報
【発明の開示】
【発明が解決しようとする課題】
【０００４】
上記従来例のエプロンは、具体的には、上部前掛け部の袋部内に人の胸部から腹部の正面側及び側面側を覆う形状の防弾・防刃素材を収容するというものであった。
しかし、この構成では、まず袋部を製作した後、防弾・防刃素材を収容するという工程が必要となるため、工程が複雑であり、生産性が低く、かつ工事現場などで使用するには利便性が低いという問題があった。
しかも、エプロン素材とは相違する防弾・防刃素材を用いるため、コストが高くなり易く、経済性の面においても不利であるという問題があった。
【０００５】
そこで、本発明は、生産性、及び、現場使用の利便性が高く、コスト的にも有利であって、防護の信頼性、安全性を大きく向上させる防護シートを提供することを目的とする。
【課題を解決するための手段】
【０００６】
上記の課題を解決するために本発明の防護シートは、飛来物の危険を防護する防護シートであって、主防護シートと、前記主防護シートに、適宜の間隔毎に並べて複数層の構造となるように装着した複数の副シートと、を備え、前記複数の副シートは、各々一部が前記主防護シートに装着されていることを特徴とする。
さらに、本発明の防護シートは、前記各副シートの各装着用の前記一部とは、各々各副シートの上部側であり、前記各副シートは、前記主防護シートに平行に沿って並べて吊設された状態を維持することを特徴とする。
さらに、本発明の防護シートは、  飛来物の危険を防護する防護シートであって、
適宜の間隔毎に並べて複数層の構造となるように装着される複数のシートから成ることを特徴とする。
【発明の効果】
【０００７】
本発明の防護シートによれば、前記複数の副シートは、各々一部が前記主防護シートに装着されているため、生産性、及び、現場使用の利便性が高く、経済的にも有利である。
しかも、飛来物が主防護シートを破って突飛しようとしても各副シートが自由変形し飛来物の突飛を止めるため、防護の信頼性、安全性を大きく向上させる。
さらに、本発明の防護シートによれば、前記各副シートの各装着用の前記一部とは、各々各副シートの上部側である。
このため、前記各副シートの防護作用を自重とともに向上させており、しかも、自重により前記各副シートの変形後の復帰性が良く、使用時の利便性、及び使用時の安定性と信頼性を向上させる。
しかも、飛来物が主防護シートを破って突飛しようとしても各副シートが自由変形し飛来物の突飛を止めるため、防護の信頼性、安全性を大きく向上させる。
さらに、本発明の防護シートによれば、適宜の間隔毎に並べて複数層の構造となるように装着される複数のシートから成るため、生産性、及び、現場使用の利便性が高く、経済的にも有利である。
しかも、飛来物がシートを破って突飛しようとしても各シートが自由変形し飛来物の突飛を止めるため、防護の信頼性、安全性を大きく向上させる。
【発明を実施するための最良の形態】
【０００８】
以下、本発明を、図面を参照して、その実施例に基づいて説明する。
【実施例１】
【０００９】
本発明の実施例１を、図１乃至図５を参照して説明する。図１は、本発明の実施例１の防護シート１の構成を概念的に説明する説明図であり、図２は、本発明の実施例１の防護シート１の使用時の一端側の要部の構成を示す斜視図である。
【００１０】
防護シート１は、図１、図２に示すように、主防護シート１１と、適宜の間隔毎に並べて複数層の構造となるように主防護シート１１の片面に装着した複数の副シート２１とを備える。
主防護シート１１は、ビニール製、布製、アルミ製、ＰＢＯ繊維や超高強力ポリエチレン繊維から成る布、あるいは、撥水加工を施した布等から成り、自由変形の柔軟性がある一般的な四角状のシートで、縦横の寸法は任意である。
主防護シート１１の上部や下部、若しくは外郭側の全周には、図３、図４に示されるように現場の柱や骨組のパイプ３１等に、例えばビニール製や樹脂製の紐などで縛り付けて装着し得るように複数の開口１２が形成されている。
現場とは、ビル、マンションの建設や解体、土木、道路工事などの工事現場である。
【００１１】
複数の副シート２１は、主防護シート１１と同じく例えばビニール製や生地製、若しくはアルミ製などの自由変形の柔軟性があるシートである。
副シート２１は、主防護シート１１と異なる素材を用いてもよい。
複数の副シート２１は、例えば主防護シート１１の横幅に等しい横幅を有し、縦幅は主防護シート１１の縦幅に対し任意数分の一の縦幅である。
各副シート２１は、主防護シート１１の外面側となる片面に適宜の間隔毎に縦方向に並べて装着されている。
各副シート２１が主防護シート１１の片面に適宜の間隔毎に並ぶとは、主防護シート１１が水平状態にある場合に、各副シート２１も主防護シート１１に水平の状態をもって縦方向に複数に並ぶことを意味する。
【００１２】
特に、適宜の間隔毎とは、図２に示すように、各副シート２１の各々が、相対的に上位側の各副シート２１の下部側ｂが、その下位側の副シート２１の上部側ａ
の外側に重なり得る間隔である。
このため、各副シート２１は、図１、図２に示すように、上位側の各副シート２１の下部側ｂが、その下位側の副シート２１の上部側ａの外側に重なるように主防護シート１１の外側の片面に縦方向に並べて装着されている。
なお、各々の適宜の間隔とは必ずしも同一の間隔であるとは限らず、しかも、各副シート２１の下部側ｂと上部側ａの重なる寸法は図示の寸法的な例に限定されるものではなく、さらに長くするなど任意の寸法を用いて良い。
ただし、各副シート２１は、その下部側ｂと上部側ａの重なりを無くし、一平面となるように装着しても良い。
【００１３】
各副シート２１の主防護シート１１への装着に際しては、各副シート２１の一部として、各副シート２１の上部側ａのみが主防護シート１１に装着されている。
各副シート２１は、各々その上部側ａが主防護シート１１に装着されることで、図２に示されるように本発明の防護シート１の使用時には主防護シート１１に平行に沿って縦方向に並べて吊設された状態を維持する。
各副シート２１の主防護シート１１への装着方法には、例えば縫製という方法がある。しかし、その装着方法には、加熱溶着、接着剤接合、超音波接合、係止金具、ホック、面ファスナなどを用いる他、任意の方法を用いて良い。
一方、図１に示す状態は、主防護シート１１に対する各副シート２１の装着位置側が外側に撓んで自由変形し得る状態を示したものである。各副シート２１が自由に変形し得るということは非常に重要な点であり詳しくは後述する。
各副シート２１は、主防護シート１１の外面側となる片面に適宜の間隔毎に並べて装着されることで、主防護シート１１と合わせて複数層として二層の構造を構成する。
【００１４】
図３は、防護シート１の使用時の側面を示す側面図であり、図４は、防護シート１の使用時における防護作用を説明する側面図である。
例えば工事現場で飛来物３２等が飛散し、図３に示すように、一つの飛来物３２が防護シート１に飛来するとする。
そのとき、一つの破砕塊等の飛来物３２などが防護シート１の主防護シート１１を突き破って外界に突飛しようとする場合、図４に示すように、飛来物３２は副シート２１に衝撃と押力とを与える。
ここで副シート２１は、主防護シート１１に吊設されて自由な変形性を有するため、図４に示すように、副シート２１が飛来物３２の押力とともに変形を生じて飛来物３２の衝撃及び押力を吸収し、飛来物３２の突飛を止める。
副シート２１の自由変形により突飛を止められた飛来物３２は、外界の通行人などに危険を与えることなく、重力により落下する。
【００１５】
以上のように副シート２１は、主防護シート１１に吊設されて自由な変形性を有するため、飛来物３２が突飛する衝撃をその自由な変形性により吸収して落下させることができる。
このため、副シート２１は、その変形性による衝撃の吸収作用により飛来物３２の衝撃で破れる可能性を大幅に低減する特性を有し、飛来物３２が外界に突飛する危険性を防止する信頼性を格段に向上させる。
特に、各副シート２１は、相対的に上位側の各副シート２１の下部側ｂがその下位側の副シート２１の上部側ａの外側に重なるため、図５に示すように、副シート２１上辺の上方極近辺Ａへの飛来物３２の衝突でも確実に変形する。
このため、防護シート１は、その全面にわたり、弱点なく飛来物３２が外界に突飛する危険性を防止し、その安全性の信頼性を格段に向上させる。
仮に、飛来物３２により主防護シート１１の一部に穴があいたとしても、他の破砕塊等の飛来物が再度その穴に向う確率は非常に低く、したがって防護シート１の安全性に対する信頼性は永く維持することができる。
【００１６】
一方、防護シート１は、副シート２１が主防護シート１１に吊設されて自由な変形性を有するため、飛来物３２が突飛する衝撃を吸収した後は、副シート２１が自重により確実に元の姿勢に復帰し、常に外界からの見栄えを良好に保つ。
また、防護シート１は、副シート２１の素材が主防護シート１１の素材と同一であるため、非常に軽く、現場使用の利便性、及び折り畳んでの収納性の利便性が非常に高い。
しかも、防護シート１は、副シート２１の装着により構成されるため、製作工程が簡易であり、非常に製作性が良く、コスト的にも非常に有利である。
さらに、防護シート１は、現場使用に際して各副シート２１が十分に防護作用を発揮するため、主防護シート１１の下辺側をも縛り付けて使用しても何ら差し支えなく、したがって風で捲り上がるといった不具合も防止できる。
なお、防護シート１は、工事現場などの任意の現場の周囲に張り巡らすことが可能であるが、周囲の側面のみならず、天井面としても使用することが可能である。副シート２１は、その際も外界側に位置し、危険防止に有効に作用する。
【実施例２】
【００１７】
次に、本発明の実施例２を説明する。
図６は、本発明の実施例２の防護シート２の使用時の側面を示す側面図である。なお、実施例２の防護シート２において実施例１と同一部分には同一の符号を付して詳しい説明は省略する。
防護シート２における複数の副シート２２は、図６に示すように、主防護シート１１に平行に沿って縦方向に並べて三つずつ重ねて吊設された状態を維持する。
各副シート２２も、主防護シート１１と同じく例えばビニール製や生地製、若しくはアルミ製などの自由変形の柔軟性が高いシートである。
各三つ重ねの副シート２２は、各々相対的に上位側の三つ重ねの副シート２２の下部側が、その下位側の三つ重ねの副シート２２の上部側に重なるように主防護シート１１の外部側の片面に縦方向に並べて吊設されている。
以上のように防護シート２は、主防護シート１１及び各三つ重ねの副シート２２により複数層として四層の構成を有するが、その他の構成は、上記の防護シート１の構成と同様である。
防護シート２は、主防護シート１１及び各三つ重ねの副シート２２により四層の構成を有するため、より防護作用が強化されている。
なお、防護シート２は、図６を参照すると、各三つ重ねの副シート２２により嵩張る状態が想像されるが、これは作図の都合上であり、実際には薄型のものである。
【００１８】
次に、図７を参照して、本発明の実施例３を説明する。
適宜の間隔毎に並べて複数層の構造となるように装着される複数のシート４１から成る。
【産業上の利用可能性】
【００１９】
本発明は、ビル建設や解体、土木などの工事現場の防護シートや防弾カーテンなどの分野に利用することが可能である。
【図面の簡単な説明】
【００２０】
【図１】本発明の実施例１の防護シートの構成を概念的に説明する説明図である。
【図２】本発明の実施例１の防護シートの使用時の一端側の要部の構成を示す斜視図である。
【図３】本発明の実施例１の防護シートの使用時の側面を示す側面図である。
【図４】本発明の実施例１の防護シートの使用時における防護作用を説明する側面図である。
【図５】本発明の実施例１の防護シートの使用時における防護作用の特例を説明する側面図である。
【図６】本発明の実施例２の防護シートの使用時の側面を示す側面図である。
【図７】本発明の実施例３の防護シートの使用時の側面を示す側面図である。
【符号の説明】
【００２１】
１、２  防護シート  １１    主防護シート  １２    開口
２１、２２  副シート  ３１    パイプ    ３２      飛来物
４１  シート
Ａ  副シート上辺の上方極近辺    ａ  上部側    ｂ  下部側
【図１】
2008175028.tif 000003
【図２】
2008175028.tif 000004
【図３】
2008175028.tif 000005
【図４】
2008175028.tif 000006
【図５】
2008175028.tif 000007
【図６】
2008175028.tif 000008
【図７】
2008175028.tif 000009